(57)【要約】      （修正有）【課題】簡易な構造で効率よく、かつ迅速に除湿を行うことのできる防湿ボックス用除湿装置を提供する。【解決手段】ハウジング１０内に、湿気を吸収するための吸湿部３０と、吸湿部の下方に設けられ、吸湿部を加熱する加熱手段４０と、吸湿部の一方の端縁部に隣接する位置に設けられる強制排気手段６０と、吸湿部の一方の端縁部に設け、湿気を進入させる吸気弁１１１と、吸湿部の他方の端縁部に吸気弁と対向させて設ける排気弁１１２と、吸気弁と排気弁とを連結する形状記憶金属７０と設け、別途、湿度の変化に対応して作動する湿気開閉器と、湿気開閉器によって起動する制御手段５０を設け、制御手段によって該加熱手段と強制排気手段を制御する。【選択図】図２
0003106389.tif 000002
【実用新案登録請求の範囲】
【請求項１】
ハウジングと、
該ハウジング内に設けられ湿気を吸収するための吸湿部と、
該吸湿部の下方に設けられ、該吸湿部を加熱する加熱手段と、
該吸湿部の一方の端縁部に隣接する位置に設けられる強制排気手段と、
該吸湿部の一方の端縁部に設け、湿気を進入させる吸気弁と、
該吸湿部の他方の端縁部に該吸気弁と対向させて設ける排気弁と、
該吸気弁と排気弁とを連結する形状記憶金属とを含んでなり、
該形状記憶金属の特性を利用し、温度の変化に対応して該吸気弁を開放し、かつ該強制排気手段を起動して
該ハウジング内に湿気を進入させ、該吸湿部によって湿気を吸収し、所定の時間が経過すると該加熟手段が起動して加熱を行い、かつ該形状記憶金属が該吸気弁を閉鎖するとともに該排気弁を開放し、該吸湿部に含まれる水分を該排気弁から放出するように構成することを特徴とする防湿ボックス用除湿装置。
【請求項２】
前記加熱手段が加熱用の抵抗器でおることを特徴とする請求項1に記載の防湿ボックス用除湿装置。
【請求項３】
前記吸湿部が人造のゼオライトを充填してなることを特徴とする請求項１に記載の防湿ボックス用除湿装置。
【請求項４】
前記強制排気手段がファンであることを特徴とする請求項1に記載の防湿ボックス用除湿装置。
【請求項５】
前記強制排気手段が加熱器であることを特徴とする請求項1に記載の防湿ボックス用除湿装置。
【請求項６】
前記加熱手段と強制排気手段とが、電気的に接続する制御手段の制御によって自動的に起動、もしくは停止することを特徴とする請求項1に記載の防湿ボックス用除湿装置。
【請求項７】
前記加熱手段と強制排気手段とが電気的に接続する制御手段の制御によって自動的に起動もしくは停止し、かつ該制御手段が電気的に接続する湿度調整手段の制御で起動して除湿を行うことを特徴とする請求項１に記載の防湿ボックス用除湿装置。
【請求項８】
前記湿度調整手段が湿度開閉器であることを特徴とする請求項７に記載の防湿ボックス用除湿装置。
【考案の詳細な説明】
【技術分野】
【０００１】
この考案は除湿装置1二関し、特に防湿ボックスに設けられ、排気を行うことによって強制的に湿気を排除して除湿を行う防湿ボックス用除湿装置に関する。
【背景技術】
【０００２】
防湿ボックスは一般には物品を収納する空間を有する箱体であって、該箱体を密閉する蓋体を具えるまた、箱体内の収納空間には仕切り板を設け、該仕切り板の下方に形成される空間に乾燥剤を収納する。係る構造の防湿ボックスは、乾燥剤の作用によって湿気を行う。但し、箱体自体は蓋体によって密閉状態となるため、箱体内部で気流が発生しない。このため、乾燥剤が湿気を吸収する速度が緩慢であって、理想的な吸湿効果が得られない。さらに、乾燥剤は所定の時間使用すると、飽和状態になる、このため吸湿の遠度が遅くなり、これも理想的な吸湿効果が得られない原因となる。
【０００３】
上述する欠点を改善するために、例えば、台湾実用新案登録出願第８５２１６７５２号にみられるように電子式の防湿ボックスが開発された。該実用新案の提供する防湿ボックスは、図１に開示するように、防湿ボックス(1)に除湿装置(2)を設けてなり、該除湿装置(2)はハウジング(3)を有するハウジング(3)は側面に、吸気口(4a)を形成したパネル(4)を具える。また、ハウジング(3)内には、複数の放熱板(5)を設ける。該放熱板(5)の外方向側には放熟ファン(6)を設け、且つパネル(4)内には冷凍チップ(7)と冷媒板(8)を設ける。該冷凍チップ(7)は放熱板(5)を設ける面の内側に緊密に貼着する。即ち、放熱板(5)を利用して冷凍チップ(7)の放熱を行う。
【０００４】
また、冷媒板(8)の底部にはホッパー(9a)と海綿体(9b)を設け孔該海綿体(9b)は吸水の作用を具え、一端が放熱板(5)上に当接する。
【０００５】
除湿装置(2)を起動すると、冷凍チップ(7)に近接した位置の湿気が冷媒板(8)の作用によって、冷媒板(8)上で凝結して霜状になる。次いで、該冷媒板(8)上で霜状になった水分は、冷凍チップ(7)によって経時的に解凍されて水滴となり、該ホッパー(9a)に滴下し、海綿体(9b)に吸収される。さらに、放熱板(5)に流れ、冷凍チップ(7)の余熱を放熱板(5)が放熱することによって海綿体(9b)に吸収された水分を蒸発させ、ファン(6)の作用によって蒸発した水分を放出する。
【０００６】
但し、上述する防湿ボックスの除湿装置は、部材の点数が多く、構造が複雑であり、製造コストが高くなるという欠点を具えるのみならず、パネル(4)が平面状を呈するため、吸気口(4a)が異物によって塞がれると、防湿ボックス(1)内の気流の循環が不良になり、除湿効果に影響を与える即ち、防湿ボックス(1)内の気流の循環が阻害されると、防湿ボックス(1)内の湿気は、冷媒板(8)に近い位置の湿気のみが吸収されやすくなり、防湿ボックス(1)内のその他位置に存在する湿気は除湿効果が降下し、除湿時聞が長くなるという欠点を有する。
【０００７】
また、海綿体(9b)は、一端が放熱板(5)と接触し、他端が防湿ボックス(1)内に位置する。よって、海綿体(9b)自身の作用によって水分を吸収して放熱板(5)の一端に導く速度が緩慢であって、往々にして放熱板(5)による蒸発に間に合わなくなる。この場合、内部に吸収した水分は防湿ボックス(1)内に戻り、湿気の逆流減少が発生する。
【０００８】
さらに、湿気を凝固させて霜状にし、さらに加熱して除湿する方式は、霜状に凝固した水分を滴下させて海綿体(9b)で吸収し、さらにファンで放出する。故に、電力の消費が発生するのみならず、水分の状態を転換する過程において、湿気がそれぞれの部材、装置上に残留する状況が発生する。
【考案の開示】
【考案が解決しようとする課題】
【０００９】
この考案は、簡易な構造で効率よ<、かつ迅速に除湿を行うことのできる防湿ボックス用除湿装置を提供することを課題とする。
【課題を解決するための手段】
【００１０】
そこで、本考案者は従来の技術に見られる欠点に鑑み鋭意研究を重ねた結果、ハウジングと、該ハウジング内に設けられ湿気を吸収するための吸湿部と、該吸湿部の下方に設けられ、該吸湿部を加熱する加熱手段と、
該吸湿部の一方の端縁部に隣接する位置に設けられる強制排気手段と、該吸湿部の一方の端縁部に設け、湿気を進入させる吸気弁と、該吸湿部の他方の端縁部に該吸気弁と対向させて設ける排気弁と、該吸気弁と排気弁とを連結する形状記憶金属とを含んでなり、該形状記憶金属の作用によって該吸気弁と排気弁とを開閉するとともに、別途、湿度の変化に対応して作動する湿気開閉器と、該湿気開閉器によって起動する制御手段を設け、該制御手段によって該加熱手段と強制排気手段を制御する防湿ボックス用除湿装置の構造によって課題を解決できる点に着眼し、かかる知見に基づいて本発明を完成させた。
【００１１】
以下、この考案について具体的に説明する。
請求項1に記載する防湿ボックス用除湿装置は、
ハウジングと、
該ハウジング内に設けられ湿気を吸収するための吸湿部と、
該吸湿部の下方に設けられ、該吸湿部を加熱する加熱手段と、
該吸湿部の一方の端縁部に隣接する位置に設けられる強制排気手段と、
該吸湿部の一方の端縁部に設け、湿気を進入させる吸気弁と、
該吸湿部の他方の端縁部に該吸気弁と対向させて設ける排気弁と、
該吸気弁と排気弁とを連結する形状記憶金属とを含んでなり、
該形状記憶金属の特性を利用し、温度の変化に対応して該吸気弁を開放し、かつ該強制排気手段を起動して該ハウジング内に湿気を進入させ、該吸湿部によって湿気を吸収し、所定の時間が経過すると該加熱手段が起動して加熱を行い、かつ該形状記憶金属が該吸気弁を閉鎖するとともに該排気弁を開放し、該吸湿部に含まれる水分を該排気弁から放出するように構成する。
【００１２】
請求項2に記載する防湿用ボックス用除湿装置は、請求項1における加熱手段が加熱用の抵抗器である。
【００１３】
請求項3に記載する防湿ボックス用除湿装置は、請求項1における吸湿部が人造のゼオライトを充填してなる。
【００１４】
請求項4に記載する防湿ボックス用除湿装置は、請求項1における強制排気手段がファンである。
【００１５】
請求項5に記載する防湿ボックス用除湿装置は、請求項1における強制排気手段が加熱器である。
【００１６】
請求項6に記載する防湿ボックス用除湿装置は、請求項1における加熱手段と強糊排気手段とが、電気的に接続する制御手段の制御によって自動的に起動、もしくは停止する。
【００１７】
請求項7に記載する防湿ボックス用除湿装置は、請求項11における加熱手段と強制排気手段とが、電気的に接続する制御手段の制御によって自動的に起動、もしくは停止し、かつ該制御手段が電気的に接続する湿度調整手段の制御で起動して除湿を行うことを特徴とする請求項1に記載の防湿ボックス用除湿装置。
【００１８】
請求項8に記載する防湿ボックス用除湿装置は、請求項7における湿度調整手段が湿度開閉器である。
【考案の効果】
【００１９】
本考案の防湿ボックス用除湿装置は、製造コストを節減するという利点があるのみならず、防湿ボックス内の除湿を効率よく、かつ迅速に行い、防湿ボックス内の好ましい除湿効果が得られるという利点がある。
【考案を実施するための最良の形態】
【００２０】
この考案は防湿ボックスに設けられ、排気を行うことによって強制的に湿気を排除して除湿を行う防湿ボックス用除湿装置を提供するものであって、ハウジングと、該ハウジング内に設けられ湿気を吸収するための吸湿部と、該吸湿部の下方に設けられ、該吸湿部を加熱する加熱手段と、該吸湿部の一方の端縁部に隣接する位置に設けられる強制排気手段と、該吸湿部の一方の端縁部に設け、湿気を進入させる吸気弁と、該吸湿部の他方の端縁部に該吸気弁と対向させて設ける排気弁と、該吸気弁と排気弁とを連結する形状記憶金属とを含んでなり、該形状記憶金属の作用によって該吸気弁と排気弁とを開閉するとともに、別途、湿度の変化に対応して作動する湿気開閉審と、該湿気開閉器によって起動する制御手段を設け、該制御手段によって該加熱手段と強制排気手段を制御する。
係る構成の除湿装置について、その構造と特徴を詳述するために具体的な実施例を挙げ、以下に説明する。
【実施例】
【００２１】
この考案による防湿ボックス用除湿装置は、防湿ボックスに設ける装置であって、図2に開示するように、ベース(11)と、該べース(11)上に螺着する蓋体(12)とによってなるハウジング(10)を有する。該蓋体(12)は、長手方向の両端縁部に複数の溝(121)をそれぞれ形成する。
【００２２】
該べース(11)は、内部に収納空間を有し、該収納空間の一端縁部に放熱手段(20)を設ける。実施例において、放熱手段(20)はアルミ材によってなるフレームであって、該放熱手段(20)上に吸湿部(30)を設ける。実施例において、吸湿部(30)は人造のゼオライトを充填してなる。また、放熱手段(20)の下方には加熱手段(40)を設ける。実施例において、加熱手段(40)は抵抗器であって、制御手段(50)と
電気的に接続し、制御手段(50)によって加熱手段(40)を起動して加熱を行う。
【００２３】
除湿材(30)の一方の端縁部に隣接する位置には、強制的に排気を行う強制排気手段(60)を設ける。該強制排気手段は、ファンか、もしくは加熱器であってもよい。強制排気手段(60)は制御手段(50)に電気的に接続する。
【００２４】
また、ベース(11)の吸湿部(30)の両端縁部に、それぞれ吸気弁(111)と排気弁(112)とを対向させて設ける。即ち、排気弁(112)は吸湿部(30)の端縁部に隣接する位置に設け、吸気弁(111)は、強制排気手段(60)に隣接する位置に設ける。該排気弁(112)は外部に連通し、かつ吸気弁(111)とい排気弁(112)は形状記憶金属(70)を介して連結する。
【００２５】
また、制御手段(50)は、湿度調整手段(図示しない)と接続する。該湿度調整装置は湿度の変化に対応して制御手段を起動する湿度開閉器であってもよく、該湿度開閉器の作用によって制御手段(50)を起動し、制御手段(50)に電気的に接続するそれぞれの装置を制御して除湿を行う。
【００２６】
図2,3,4に開示するように、除湿を行う場合は形状記憶金属(70)の形状を記憶する特性を利用して吸気パルブ(111)を開放にする。この状態において、制御手段(50)が強制排気手段(60)を起動してハウジング(10)上の箱体(80)内の湿気を吸気弁(111)からハウジング(10)内に進入し、吸湿部(30)に吸収される。
【００２７】
所定の時間が経過すると、湿度調整手段は制御手段(50)を介して加熱手段(40)を起動して加熱を行う。
また、放熱手段(20)は吸湿部(30)に対して迅速に熱伝導を行う。同時に、形状記憶金属が放熱手段(20)によって発散される熱によって内方向に収縮して吸気弁(11)を閉鎖し、排気弁(112)を開放する。
このため、吸湿部(30)に吸収された水分が加熱手段(40)の加熱によって蒸発し、冷、熱交換の作用によって排気弁(112)から外部に放出される。したがって、除湿を行う場合吸気弁(11)、排気弁(112)を自動的に開閉し、強制排気手段(60)の作用によって湿気を強制的に吸気弁(11)から進入させ、吸湿部(30)で吸収し、排気弁(112)から外部に放出して迅速な除湿の目的を違成する。
【００２８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２９】
【図１】従来の防湿ボックス用除湿装置の構造を示した説明図である。
【図２】この考案による除湿装置の内部構造を示した斜視図である・
【図３】図2に開示する除湿装置の動作を示した説明図である。
【図４】図2に開示する除湿装置の他の動作を示した説明図である。
【符号の説明】
【００３０】
１０  ハウジング
１１  ベース
１１１  吸気弁
１１２  排気弁
１２  蓋体
２０  放熱手段
３０  吸湿部
４０  加熱手段
５０  制御手段
６０  強制排気手段
７０  形状記憶金属
８０  箱体
【図１】
0003106389.tif 000003
【図２】
0003106389.tif 000004
【図３】
0003106389.tif 000005
【図４】
0003106389.tif 000006